(57)【要約】  【課題】  従来より小型化することができる光路切換装置を提供する。  【解決手段】  光路切換装置２０は、筐体２１と、筐体２１内に収納されて各種光学部品を搭載するプラットフォーム２２と、光信号が入力される光ファイバコリメータ２３、２４と、光信号が出力される光ファイバコリメータ２５と、光の経路を切り換える平行プリズム２６と、平行プリズム２６を移動させるアクチュエータと、光の進行方向を変更する直角プリズム２８と、入射光の一部を反射して残りを透過させるハーフミラー２９ａ、２９ｂが形成された平行プリズム２９と、光を検出する受光素子３１、３２と、光を吸収する光吸収体３３、３４とを備え、受光素子３１、３２は、平行プリズム２９によって生成された光を他の光学部品を介さずに直接検出する位置に配置され、平行プリズム２９は、光路切換装置２０外に出る光の経路を生成する部品である。【選択図】  図３
2006251044.tif 000002
【特許請求の範囲】
【請求項１】
光を検出する光検出部品と、前記光検出部品によって検出される前記光を生成する検出光生成部品とを備え、
前記光検出部品は、前記検出光生成部品によって生成された前記光を他の光学部品を介さずに直接検出する位置に配置され、
前記検出光生成部品は、装置外に出る光の経路を生成する部品であることを特徴とする光路切換装置。
【発明の詳細な説明】
【技術分野】
【０００１】
本発明は、光の経路を切り換える光路切換装置に関するものである。
【背景技術】
【０００２】
従来、光路切換装置として、自身の状態の変化によって光の経路を切り換えるスイッチ用プリズムを透過した光を光分岐器を介して受光素子によって検出するものが知られている（例えば、特許文献１参照。）。
【０００３】
【特許文献１】特開２００３−２１７５６号公報（第４頁、第１図）
【発明の開示】
【発明が解決しようとする課題】
【０００４】
しかしながら、従来の光路切換装置においては、受光素子によって検出される光を生成する光分岐器を、受光素子による光の検出のためだけに設けていたので、装置の小型化が困難であった。
【０００５】
本発明は、従来の問題を解決するためになされたもので、従来より小型化することができる光路切換装置を提供することを目的とする。
【課題を解決するための手段】
【０００６】
本発明の光路切換装置は、光を検出する光検出部品と、前記光検出部品によって検出される前記光を生成する検出光生成部品とを備え、前記光検出部品は、前記検出光生成部品によって生成された前記光を他の光学部品を介さずに直接検出する位置に配置され、前記検出光生成部品は、装置外に出る光の経路を生成する部品である構成を有している。
【０００７】
この構成により、本発明の光路切換装置は、光検出部品によって検出される光を生成する部品が、装置外に出る光の経路の生成にも関与するので、従来より小型化することができる。
【発明の効果】
【０００８】
本発明は、従来より小型化することができる光路切換装置を提供することができるものである。
【発明を実施するための最良の形態】
【０００９】
以下、本発明の実施の形態について、図面を用いて説明する。
【００１０】
（第１の実施の形態）
まず、第１の実施の形態に係る光通信システムの構成について説明する。
【００１１】
図１に示すように、本実施の形態に係る光通信システム１０は、光信号を送信する光送信装置１１と、光信号を受信する光受信装置１２と、光送信装置１１によって送信された光信号を２つの回線に分岐させる光分岐装置１３と、光分岐装置１３によって分岐された２つの回線それぞれから光信号を入力するとともに光受信装置１２に受信される光信号を出力する機械式の光路切換装置２０と、光分岐装置１３によって分岐された２つの回線それぞれから入力された光信号のうち何れか一方を光受信装置１２に受信させるように光路切換装置２０の動作を制御する制御装置１４とを備えている。
【００１２】
光路切換装置２０は、図２に示すように、制御装置１４（図１参照。）も設置されているプリント基板１５に設置されている。光路切換装置２０及び制御装置１４は、プリント基板１５を介して電気的に接続されている。
【００１３】
図２及び図３に示すように、光路切換装置２０は、筐体２１と、筐体２１内に収納されて各種光学部品を搭載するプラットフォーム２２と、光分岐装置１３（図１参照。）によって分岐された２つの回線の一方からの光信号及び他方からの光信号が入力される光ファイバコリメータ２３と、光受信装置１２（図１参照。）に受信される光信号が出力される光ファイバコリメータ２５と、プラットフォーム２２と直交する矢印２２ａで示す方向及び矢印２２ａで示す方向とは逆向きの矢印２２ｂで示す方向における自身の位置の変化、即ち、自身の状態の変化によって光の経路を切り換える平行プリズム２６と、平行プリズム２６に対して矢印２２ａで示す方向に配置されて平行プリズム２６を矢印２２ａで示す方向及び矢印２２ｂで示す方向に移動させるアクチュエータ２７と、光の進行方向を変更する直角プリズム２８と、入射光の一部（以下、例として５％として説明する。）を反射して残り９５％を透過させるハーフミラー２９ａ、２９ｂが膜によって形成された平行プリズム２９と、光を検出する光検出部品としての受光素子３１、３２と、光を吸収する光吸収体３３、３４とを備えている。
【００１４】
プラットフォーム２２には、光ファイバコリメータ２３、２５と、直角プリズム２８と、平行プリズム２９と、受光素子３１、３２と、光吸収体３４とが固定されている。また、光吸収体３３は、平行プリズム２６に固定されている。
【００１５】
光ファイバコリメータ２３は、光分岐装置１３によって分岐された２つの回線の一方からの光信号が入力される光ファイバ２３ａと、光分岐装置１３によって分岐された２つの回線の他方からの光信号が入力される光ファイバ２３ｂと、レンズ２３ｃとから構成されている。光ファイバコリメータ２５は、光ファイバ２５ａ及びレンズ２５ｂから構成されている。
【００１６】
平行プリズム２６は、入射光の全部を反射する反射ミラー２６ａ、２６ｂが膜によって形成されている。
【００１７】
直角プリズム２８は、入射光の全部を反射する反射ミラー２８ａ、２８ｂが膜によって形成されている。
【００１８】
平行プリズム２９は、受光素子３１、３２によって検出される光を生成するようになっており、検出光生成部品を構成している。なお、光路切換装置２０外に出る光の経路は、平行プリズム２９が構成として存在する場合と存在しない場合とで異なる。即ち、平行プリズム２９は、光路切換装置２０外に出る光の経路を生成する部品である。
【００１９】
受光素子３１、３２は、平行プリズム２９によって生成された光を他の光学部品を介さずに直接検出する位置に配置されている。
【００２０】
受光素子３１、３２は、検出した光信号を電気信号に変換して制御装置１４（図１参照。）に出力するようになっている。また、アクチュエータ２７は、制御装置１４からの制御信号に応じて平行プリズム２６を移動させるようになっている。
【００２１】
次に、光通信システム１０の動作について説明する。
【００２２】
光送信装置１１によって送信された光信号は、光分岐装置１３によって２つの回線に分岐されてそれぞれ光路切換装置２０に入力される。
【００２３】
光路切換装置２０では、検出した光の量をそれぞれ電気信号に変換して制御装置１４に出力する。そして、制御装置１４は、光分岐装置１３によって分岐された２つの回線に障害が生じているか否かを光路切換装置２０から入力された電気信号に基づいて判断し、障害が生じていない回線から入力された光信号を光受信装置１２に受信させるように光路切換装置２０の動作を制御する。
【００２４】
したがって、光受信装置１２には、光分岐装置１３と光路切換装置２０との間の回線のうち障害が生じていない回線を通った光信号が受信される。
【００２５】
以下、光路切換装置２０の動作について詳細に説明する。
【００２６】
制御装置１４は、光ファイバ２３ａに接続された回線に障害が生じていないと判断しているとき、光ファイバ２３ａを介して光ファイバコリメータ２３から出射された光の量を受光素子３１からの電気信号に基づいて算出する。ここで、光ファイバ２３ａを介して光ファイバコリメータ２３から出力された光を平行プリズム２９のハーフミラー２９ａが反射する率（上述した例では５％）、受光素子３１の受光量、光ファイバ２３ａを介して光ファイバコリメータ２３から出射された光の量をそれぞれＲ、ｐ１、Ｐとすると、Ｐは、「数１」によって算出可能である。
【数１】
2006251044.tif 000003
【００２７】
そして、制御装置１４は、光ファイバ２３ａを介して光ファイバコリメータ２３から出射された光の量が所定の範囲内の量であるとき、光ファイバ２３ａに接続された回線に障害が生じていないと判断し、平行プリズム２６が移動範囲のうち矢印２２ａで示す方向の端に待機するようにアクチュエータ２７に制御信号を送信する。したがって、アクチュエータ２７は、制御装置１４からの制御信号に応じて平行プリズム２６を移動範囲のうち矢印２２ａで示す方向の端に待機させる。
【００２８】
平行プリズム２６が移動範囲のうち矢印２２ａで示す方向の端に位置するとき、光路切換装置２０内の光は図３（ａ）に点線の矢線で示すように進行する。即ち、光ファイバ２３ａを介して光ファイバコリメータ２３から出力された光は、５％が平行プリズム２９のハーフミラー２９ａによって反射されて受光素子３１によって検出されるとともに、残り９５％が平行プリズム２９によって経路が変更された後、平行プリズム２６に対して矢印２２ｂで示す方向側を通過して直角プリズム２８の反射ミラー２８ａ、２８ｂによって進行方向が変更されて光ファイバコリメータ２５に入力される。光ファイバ２３ｂを介して光ファイバコリメータ２３から出力された光は、５％が平行プリズム２９のハーフミラー２９ｂによって反射されて受光素子３２によって検出されるとともに、残り９５％が平行プリズム２９によって経路が変更された後、平行プリズム２６に対して矢印２２ｂで示す方向側を通過して光吸収体３４に吸収される。
【００２９】
したがって、光ファイバ２３ａに接続された回線に障害が生じていないと制御装置１４が判断したとき、光ファイバ２３ａに接続された回線を通った光信号が光受信装置１２に受信される。
【００３０】
一方、制御装置１４は、光ファイバ２３ａを介して光ファイバコリメータ２３から出射された光の量が所定の範囲内の量ではないとき、光ファイバ２３ａに接続された回線に障害が生じていると判断し、平行プリズム２６が移動範囲のうち矢印２２ｂで示す方向の端に移動するようにアクチュエータ２７に制御信号を送信する。したがって、アクチュエータ２７は、制御装置１４からの制御信号に応じて平行プリズム２６を移動範囲のうち矢印２２ｂで示す方向の端に移動させる。
【００３１】
前記光信号に対する監視は、受光素子に入射される光の量のみならず、前記光信号に含まれる光の波長、周波数、位相あるいは符号化された信号に対してでも良い。すなわち、制御装置１４は所定の光の波長あるいは波形そのもの（周波数、位相、符号化された光信号など）を検出した際に、アクチュエータ２７に制御信号を送信し、光路を切り換えるものであっても良く、これは光送信装置１１から光受信装置１２への光信号の伝送速度が例えば１００Ｇｂｐｓを越えると、回線障害によって光信号は光の波長、周波数、位相が変化することによる。また、他の伝送系より前記光送信装置１１から光受信装置１２への光信号の伝送経路を変更する場合においては、他の伝送系より符号化された光信号を送信する場合もある。
【００３２】
平行プリズム２６が移動範囲のうち矢印２２ｂで示す方向の端に位置するとき、光路切換装置２０内の光は図３（ｂ）に点線の矢線で示すように進行する。即ち、光ファイバ２３ａを介して光ファイバコリメータ２３から出力された光は、５％が平行プリズム２９のハーフミラー２９ａによって反射されて受光素子３１によって検出されるとともに、残り９５％が平行プリズム２９によって経路が変更された後、平行プリズム２６に固定された光吸収体３３に吸収される。光ファイバ２３ｂを介して光ファイバコリメータ２３から出力された光は、５％が平行プリズム２９のハーフミラー２９ｂによって反射されて受光素子３２によって検出されるとともに、残り９５％が平行プリズム２９によって経路が変更された後、平行プリズム２６の反射ミラー２６ａ、２６ｂ及び直角プリズム２８の反射ミラー２８ａ、２８ｂによって進行方向が変更されて光ファイバコリメータ２５に入力される。
【００３３】
したがって、光ファイバ２３ａに接続された回線に障害が生じていると制御装置１４が判断したとき、光ファイバ２３ｂに接続された回線を通った光信号が光受信装置１２に受信される。
【００３４】
なお、制御装置１４は、光ファイバ２３ｂに接続された回線に障害が生じているか否かについても受光素子３２からの電気信号に基づいて常時監視している。
【００３５】
回線障害の判断は、光の量が所定範囲内であるか否かの他、光の波長が所定の範囲内であるか否か、信号のタイミングが所定の範囲内であるか否か等様々ある。
【００３６】
以上に説明したように、光路切換装置２０は、受光素子３１、３２によって検出される光を生成する部品である平行プリズム２９が、光路切換装置２０外に出る光の経路の生成にも関与するので、従来より小型化することができる。
【００３７】
また、光路切換装置２０は、光ファイバ２３ａ及び光ファイバ２３ｂが１つのレンズｃを介して光ファイバコリメータ２３として一部品で構成されているので、プラットフォーム２２への光学部品の固定作業の工程数を少なくすることができる。
【００３８】
また、光路切換装置２０は、光ファイバ２３ａを介して光ファイバコリメータ２３から出力される光の進行方向に対して、光ファイバ２３ｂを介して光ファイバコリメータ２３から出力される光の進行方向が多少傾いていても、光ファイバ２３ａを介して光ファイバコリメータ２３から出力される光の進行方向と、光ファイバ２３ｂを介して光ファイバコリメータ２３から出力される光の進行方向とを平行プリズム２９によって略平行に補正することができる。
【００３９】
また、光路切換装置２０は、光ファイバコリメータ２３、２５や平行プリズム２６等の各光学部品の基準面となる部材、即ち、光学定盤として機能するプラットフォーム２２を備えているので、各光学部品の位置決め精度をサブミクロンレベルで実現することが可能であるとともに、周囲の温度や湿度が変化したときであっても各光学部品の位置関係を維持することができる。
【００４０】
さらに、本発明の光路切換装置は、上流の光を検出するので、装置内に汚染があった場合でも光信号の検出の信頼性を従来より向上することができる。
【００４１】
（第２の実施の形態）
まず、第２の実施の形態に係る光通信システムの構成について説明する。
【００４２】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【００４３】
本実施の形態に係る光通信システムの構成は、図４に示す機械式の光路切換装置４０を光路切換装置２０（図３参照。）に代えて光通信システム１０が備えた構成と同様である。
【００４４】
光路切換装置４０の構成は、光分岐装置１３（図１参照。）によって分岐された２つの回線の一方からの光信号が入力される光ファイバコリメータ４１と、光分岐装置１３によって分岐された２つの回線の他方からの光信号が入力される光ファイバコリメータ４２と、光の進行方向を変更する直角プリズム４３と、光を検出する光検出部品としての受光素子４４、４５、４６とを、光ファイバコリメータ２３（図３参照。）直角プリズム２８（図３参照。）、平行プリズム２９（図３参照。）、受光素子３１、３２（図３参照。）及び光吸収体３３、３４（図３参照。）に代えて光路切換装置２０が備えた構成と同様である。
【００４５】
光ファイバコリメータ４２、直角プリズム４３及び受光素子４４〜４６は、プラットフォーム２２に固定されている。
【００４６】
平行プリズム２６は、受光素子４６によって検出される光を生成するようになっており、検出光生成部品を構成している。なお、光路切換装置４０外に出る光の経路は、平行プリズム２６が構成として存在する場合と存在しない場合とで異なる。即ち、平行プリズム２６は、光路切換装置４０外に出る光の経路を生成する部品である。
【００４７】
光ファイバコリメータ４１は、光ファイバ４１ａと、レンズ４１ｂとから構成されている。同様に、光ファイバコリメータ４２は、光ファイバ４２ａ及びレンズ４２ｂから構成されている。
【００４８】
直角プリズム４３は、入射光の一部（以下、例として５％として説明する。）を反射して残り９５％を透過させるハーフミラー４３ａと、入射光の全部を反射する反射ミラー４３ｂ、４３ｃとが膜によって形成されている。
【００４９】
直角プリズム４３は、受光素子４４によって検出される光を生成するようになっており、検出光生成部品を構成している。なお、光路切換装置４０外に出る光の経路は、直角プリズム４３が構成として存在する場合と存在しない場合とで異なる。即ち、直角プリズム４３は、光路切換装置４０外に出る光の経路を生成する部品である。
【００５０】
受光素子４４は、直角プリズム４３によって生成された光を他の光学部品を介さずに直接検出する位置に配置されている。また、受光素子４６は、平行プリズム２６によって生成された光を他の光学部品を介さずに直接検出する位置に配置されている。
【００５１】
次に、本実施の形態に係る光通信システムの動作について説明する。
【００５２】
制御装置１４は、光ファイバコリメータ４１に接続された回線に障害が生じていないと判断しているとき、光ファイバコリメータ４１から出射された光の量を受光素子４４からの電気信号に基づいて算出する。そして、制御装置１４は、光ファイバコリメータ４１から出射された光の量が所定の範囲内の量であるとき、光ファイバコリメータ４１に接続された回線に障害が生じていないと判断し、平行プリズム２６が移動範囲のうち矢印２２ａ（図２参照。）で示す方向の端に待機するようにアクチュエータ２７（図２参照。）に制御信号を送信する。したがって、アクチュエータ２７は、制御装置１４からの制御信号に応じて平行プリズム２６を移動範囲のうち矢印２２ａで示す方向の端に待機させる。
【００５３】
平行プリズム２６が移動範囲のうち矢印２２ａで示す方向の端に位置するとき、光路切換装置４０内の光は図４（ａ）に点線の矢線で示すように進行する。即ち、光ファイバコリメータ４１から出力された光は、平行プリズム２６に対して矢印２２ｂ（図２参照。）で示す方向側を通過した後、５％が直角プリズム４３のハーフミラー４３ａによって反射されて受光素子４４によって検出されるとともに、残り９５％が直角プリズム４３の反射ミラー４３ｂ、４３ｃによって進行方向が変更されて光ファイバコリメータ２５に入力される。光ファイバコリメータ４２から出力された光は、平行プリズム２６に対して矢印２２ｂで示す方向側を通過した後、受光素子４５によって検出される。
【００５４】
したがって、光ファイバコリメータ４１に接続された回線に障害が生じていないと制御装置１４が判断したとき、光ファイバコリメータ４１に接続された回線を通った光信号が光受信装置１２に受信される。
【００５５】
なお、制御装置１４は、光ファイバコリメータ４１に接続された回線に障害が生じていないと判断しているとき、光受信装置１２に接続されていない回線、即ち光ファイバコリメータ４２に接続された回線に障害が生じているか否かについても受光素子４５からの電気信号に基づいて常時監視している。ここで、受光素子４５は、光ファイバコリメータ４２から出力された光を直接受光するので、光ファイバコリメータ４２から出力された光を大光量で検出することができる。
【００５６】
一方、制御装置１４は、光ファイバコリメータ４１から出射された光の量が所定の範囲内の量ではないとき、光ファイバコリメータ４１に接続された回線に障害が生じていると判断し、平行プリズム２６が移動範囲のうち矢印２２ｂで示す方向の端に移動するようにアクチュエータ２７に制御信号を送信する。したがって、アクチュエータ２７は、制御装置１４からの制御信号に応じて平行プリズム２６を移動範囲のうち矢印２２ｂで示す方向の端に移動させる。
【００５７】
平行プリズム２６が移動範囲のうち矢印２２ｂで示す方向の端に位置するとき、光路切換装置４０内の光は図４（ｂ）に点線の矢線で示すように進行する。即ち、光ファイバコリメータ４１から出力された光は、平行プリズム２６の反射ミラー２６ｂで全反射されて、受光素子４６によって検出される。光ファイバコリメータ４２から出力された光は、平行プリズム２６の反射ミラー２６ａ、２６ｂによって進行方向が変更された後、５％が直角プリズム４３のハーフミラー４３ａによって反射されて受光素子４４によって検出されるとともに、残り９５％が直角プリズム４３の反射ミラー４３ｂ、４３ｃによって進行方向が変更されて光ファイバコリメータ２５に入力される。
【００５８】
したがって、光ファイバコリメータ４１に接続された回線に障害が生じていると制御装置１４が判断したとき、光ファイバコリメータ４２に接続された回線を通った光信号が光受信装置１２に受信される。
【００５９】
なお、制御装置１４は、光ファイバコリメータ４１に接続された回線に障害が生じていると判断しているとき、光受信装置１２に接続されている回線、即ち光ファイバコリメータ４２に接続された回線に障害が生じているか否かについて受光素子４４からの電気信号に基づいて常時監視している。
【００６０】
また、制御装置１４は、光ファイバコリメータ４１に接続された回線に障害が生じていると判断しているとき、光受信装置１２に接続されていない回線、即ち光ファイバコリメータ４１に接続された回線に障害が生じているか否かについても受光素子４６からの電気信号に基づいて常時監視している。ここで、受光素子４６は、光ファイバコリメータ４１から出力されて平行プリズム２６の反射ミラー２６ｂで全反射した光を受光するので、光ファイバコリメータ４１から出力された光を大光量で検出することができる。
【００６１】
以上に説明したように、光路切換装置４０は、受光素子４４によって検出される光を生成する部品である直角プリズム４３が、光路切換装置４０外に出る光の経路の生成にも関与するので、従来より小型化することができる。また、光路切換装置４０は、受光素子４６によって検出される光を生成する部品である平行プリズム２６が、光路切換装置４０外に出る光の経路の生成にも関与するので、従来より小型化することができる。
【００６２】
（第３の実施の形態）
まず、第３の実施の形態に係る光通信システムの構成について説明する。
【００６３】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【００６４】
本実施の形態に係る光通信システムの構成は、図５に示す機械式の光路切換装置６０を光路切換装置２０（図３参照。）に代えて光通信システム１０が備えた構成と同様である。
【００６５】
光路切換装置６０の構成は、光分岐装置１３（図１参照。）によって分岐された２つの回線の一方からの光信号が入力される光ファイバコリメータ６１と、光分岐装置１３によって分岐された２つの回線の他方からの光信号が入力される光ファイバコリメータ６２と、光受信装置１２（図１参照。）に受信される光信号が出力される光ファイバコリメータ６３と、光を検出する光検出部品としての受光素子６４とを、光ファイバコリメータ２３、２５（図３参照。）、平行プリズム２９（図３参照。）及び受光素子３１、３２（図３参照。）に代えて光路切換装置２０が備えた構成と同様である。
【００６６】
光ファイバコリメータ６１〜６３及び受光素子６４は、プラットフォーム２２に固定されている。
【００６７】
光ファイバコリメータ６１は、光ファイバ６１ａと、レンズ６１ｂとから構成されている。同様に、光ファイバコリメータ６２は、光ファイバ６２ａ及びレンズ６２ｂから構成されている。また、光ファイバコリメータ６３は、光ファイバ６３ａと、入射光の一部（以下、例として５％として説明する。）を反射して残り９５％を透過させるハーフミラー６３ｃが膜によって形成されたレンズ６３ｂとから構成されている。
【００６８】
光ファイバコリメータ６３は、受光素子６４によって検出される光を生成するようになっており、検出光生成部品を構成している。なお、光路切換装置６０外に出る光の経路は、光ファイバコリメータ６３が構成として存在する場合と存在しない場合とで異なる。即ち、光ファイバコリメータ６３は、光路切換装置６０外に出る光の経路を生成する部品である。
【００６９】
受光素子６４は、光ファイバコリメータ６３によって生成された光を他の光学部品を介さずに直接検出する位置に配置されている。
【００７０】
次に、本実施の形態に係る光通信システムの動作について説明する。
【００７１】
制御装置１４は、光ファイバコリメータ６１に接続された回線に障害が生じていないと判断しているとき、光ファイバコリメータ６１から出射された光の量を受光素子６４からの電気信号に基づいて算出する。そして、制御装置１４は、光ファイバコリメータ６１から出射された光の量が所定の範囲内の量であるとき、光ファイバコリメータ６１に接続された回線に障害が生じていないと判断し、平行プリズム２６が移動範囲のうち矢印２２ａ（図２参照。）で示す方向の端に待機するようにアクチュエータ２７（図２参照。）に制御信号を送信する。したがって、アクチュエータ２７は、制御装置１４からの制御信号に応じて平行プリズム２６を移動範囲のうち矢印２２ａで示す方向の端に待機させる。
【００７２】
平行プリズム２６が移動範囲のうち矢印２２ａで示す方向の端に位置するとき、光路切換装置４０内の光は図５（ａ）に点線の矢線で示すように進行する。即ち、光ファイバコリメータ６１から出力された光は、平行プリズム２６に対して矢印２２ｂ（図２参照。）で示す方向側を通過して直角プリズム２８の反射ミラー２８ａ、２８ｂによって進行方向が変更された後、５％が光ファイバコリメータ６１のレンズ６３ｂのハーフミラー６３ｃによって反射されて受光素子６４によって検出されるとともに、残り９５％がハーフミラー６３ｃを透過して光ファイバコリメータ６３に入力される。光ファイバコリメータ６２から出力された光は、平行プリズム２６に対して矢印２２ｂで示す方向側を通過した後、光吸収体３４に吸収される。
【００７３】
したがって、光ファイバコリメータ６１に接続された回線に障害が生じていないと制御装置１４が判断したとき、光ファイバコリメータ６１に接続された回線を通った光信号が光受信装置１２に受信される。
【００７４】
一方、制御装置１４は、光ファイバコリメータ６１から出射された光の量が所定の範囲内の量ではないとき、光ファイバコリメータ６１に接続された回線に障害が生じていると判断し、平行プリズム２６が移動範囲のうち矢印２２ｂで示す方向の端に移動するようにアクチュエータ２７に制御信号を送信する。したがって、アクチュエータ２７は、制御装置１４からの制御信号に応じて平行プリズム２６を移動範囲のうち矢印２２ｂで示す方向の端に移動させる。
【００７５】
平行プリズム２６が移動範囲のうち矢印２２ｂで示す方向の端に位置するとき、光路切換装置４０内の光は図５（ｂ）に点線の矢線で示すように進行する。即ち、光ファイバコリメータ６１から出力された光は、光吸収体３３に吸収される。光ファイバコリメータ６２から出力された光は、平行プリズム２６の反射ミラー２６ａ、２６ｂ及び直角プリズム２８の反射ミラー２８ａ、２８ｂによって進行方向が変更された後、５％が光ファイバコリメータ６１のレンズ６３ｂのハーフミラー６３ｃによって反射されて受光素子６４によって検出されるとともに、残り９５％がハーフミラー６３ｃを透過して光ファイバコリメータ６３に入力される。
【００７６】
したがって、光ファイバコリメータ６１に接続された回線に障害が生じていると制御装置１４が判断したとき、光ファイバコリメータ６２に接続された回線を通った光信号が光受信装置１２に受信される。
【００７７】
なお、制御装置１４は、光ファイバコリメータ６１に接続された回線に障害が生じていると判断しているとき、光受信装置１２に接続されている回線、即ち光ファイバコリメータ６２に接続された回線に障害が生じているか否かについて受光素子６４からの電気信号に基づいて常時監視している。
【００７８】
以上に説明したように、光路切換装置６０は、受光素子６４によって検出される光を生成する部品である光ファイバコリメータ６３が、光路切換装置６０外に出る光の経路の生成にも関与するので、従来より小型化することができる。
【００７９】
（第４の実施の形態）
まず、第４の実施の形態に係る光通信システムの構成について説明する。
【００８０】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【００８１】
本実施の形態に係る光通信システムの構成は、図６に示す機械式の光路切換装置８０を光路切換装置２０（図３参照。）に代えて光通信システム１０が備えた構成と同様である。
【００８２】
光路切換装置８０の構成は、矢印２２ａ（図２参照。）で示す方向及び矢印２２ｂ（図２参照。）で示す方向における自身の位置の変化、即ち、自身の状態の変化によって光の経路を切り換える平行プリズム８１と、光の進行方向を変更する直角プリズム８２と、光を検出する光検出部品としての受光素子８３、８４とを、平行プリズム２６（図３参照。）、直角プリズム２８（図３参照。）、平行プリズム２９（図３参照。）、受光素子３１、３２（図３参照。）及び光吸収体３３、３４（図３参照。）に代えて光路切換装置２０が備えた構成と同様である。
【００８３】
直角プリズム８２及び受光素子８３、８４は、プラットフォーム２２に固定されている。
【００８４】
平行プリズム８１は、矢印２２ａで示す方向及び矢印２２ｂで示す方向にアクチュエータ２７（図２参照。）によって移動させられるようになっている。
【００８５】
平行プリズム８１は、受光素子８４によって検出される光を生成するようになっており、検出光生成部品を構成している。なお、光路切換装置８０外に出る光の経路は、平行プリズム８１が構成として存在する場合と存在しない場合とで異なる。即ち、平行プリズム８１は、光路切換装置８０外に出る光の経路を生成する部品である。
【００８６】
直角プリズム８２は、入射光の一部（以下、例として５％として説明する。）を透過して残り９５％を反射するハーフミラー８２ａと、入射光の全部を反射する反射ミラー８２ｂとが形成されている。
【００８７】
直角プリズム８２は、受光素子８３によって検出される光を生成するようになっており、検出光生成部品を構成している。なお、光路切換装置８０外に出る光の経路は、直角プリズム８２が構成として存在する場合と存在しない場合とで異なる。即ち、直角プリズム８２は、光路切換装置８０外に出る光の経路を生成する部品である。
【００８８】
受光素子８３は、直角プリズム８２によって生成された光を他の光学部品を介さずに直接検出する位置に配置されている。また、受光素子８４は、平行プリズム８１によって生成された光を他の光学部品を介さずに直接検出する位置に配置されている。
【００８９】
次に、本実施の形態に係る光通信システムの動作について説明する。
【００９０】
制御装置１４は、光ファイバ２３ａに接続された回線に障害が生じていないと判断しているとき、光ファイバ２３ａを介して光ファイバコリメータ２３から出射された光の量を受光素子８３からの電気信号に基づいて算出する。そして、制御装置１４は、光ファイバ２３ａを介して光ファイバコリメータ２３から出射された光の量が所定の範囲内の量であるとき、光ファイバ２３ａに接続された回線に障害が生じていないと判断し、平行プリズム８１が移動範囲のうち矢印２２ａ（図２参照。）で示す方向の端に待機するようにアクチュエータ２７（図２参照。）に制御信号を送信する。したがって、アクチュエータ２７は、制御装置１４からの制御信号に応じて平行プリズム８１を移動範囲のうち矢印２２ａで示す方向の端に待機させる。
【００９１】
平行プリズム８１が移動範囲のうち矢印２２ａで示す方向の端に位置するとき、光路切換装置８０内の光は図６（ａ）に点線の矢線で示すように進行する。即ち、光ファイバ２３ａを介して光ファイバコリメータ２３から出力された光は、平行プリズム８１に対して矢印２２ｂ（図２参照。）で示す方向側を通過した後、５％が直角プリズム８２のハーフミラー８２ａを透過して受光素子８３によって検出されるとともに、残り９５％が直角プリズム８２のハーフミラー８２ａ、反射ミラー８２ｂによって進行方向が変更されて光ファイバコリメータ２５に入力される。光ファイバ２３ｂを介して光ファイバコリメータ２３から出力された光は、平行プリズム８１に対して矢印２２ｂで示す方向側を通過した後、受光素子８４によって検出される。
【００９２】
したがって、光ファイバ２３ａに接続された回線に障害が生じていないと制御装置１４が判断したとき、光ファイバ２３ａに接続された回線を通った光信号が光受信装置１２に受信される。
【００９３】
なお、制御装置１４は、光ファイバ２３ａに接続された回線に障害が生じていないと判断しているとき、光受信装置１２に接続されていない回線、即ち光ファイバ２３ｂに接続された回線に障害が生じているか否かについても受光素子８４からの電気信号に基づいて常時監視している。ここで、受光素子８４は、光ファイバ２３ｂを介して光ファイバコリメータ２３から出力された光を直接受光するので、光ファイバ２３ｂを介して光ファイバコリメータ２３から出力された光を大光量で検出することができる。
【００９４】
一方、制御装置１４は、光ファイバ２３ａを介して光ファイバコリメータ２３から出射された光の量が所定の範囲内の量ではないとき、光ファイバ２３ａに接続された回線に障害が生じていると判断し、平行プリズム８１が移動範囲のうち矢印２２ｂで示す方向の端に移動するようにアクチュエータ２７に制御信号を送信する。したがって、アクチュエータ２７は、制御装置１４からの制御信号に応じて平行プリズム８１を移動範囲のうち矢印２２ｂで示す方向の端に移動させる。
【００９５】
平行プリズム８１が移動範囲のうち矢印２２ｂで示す方向の端に位置するとき、光路切換装置８０内の光は図６（ｂ）に点線の矢線で示すように進行する。即ち、光ファイバ２３ａを介して光ファイバコリメータ２３から出力された光は、平行プリズム８１によって経路が変更されて、受光素子８４によって検出される。光ファイバ２３ｂを介して光ファイバコリメータ２３から出力された光は、平行プリズム８１によって経路が変更された後、５％が直角プリズム８２のハーフミラー８２ａを透過して受光素子８３によって検出されるとともに、残り９５％が直角プリズム８２のハーフミラー８２ａ、反射ミラー８２ｂによって進行方向が変更されて光ファイバコリメータ２５に入力される。
【００９６】
したがって、光ファイバ２３ａに接続された回線に障害が生じていると制御装置１４が判断したとき、光ファイバ２３ｂに接続された回線を通った光信号が光受信装置１２に受信される。
【００９７】
なお、制御装置１４は、光ファイバ２３ａに接続された回線に障害が生じていると判断しているとき、光受信装置１２に接続されている回線、即ち光ファイバ２３ｂに接続された回線に障害が生じているか否かについて受光素子８３からの電気信号に基づいて常時監視している。
【００９８】
また、制御装置１４は、光ファイバ２３ａに接続された回線に障害が生じていると判断しているとき、光受信装置１２に接続されていない回線、即ち光ファイバ２３ａに接続された回線に障害が生じているか否かについても受光素子８４からの電気信号に基づいて常時監視している。ここで、受光素子８４は、光ファイバ２３ａを介して光ファイバコリメータ２３から出力されて平行プリズム８１を透過した光を他の光学部品を介さずに直接受光するので、光ファイバ２３ａを介して光ファイバコリメータ２３から出力された光を大光量で検出することができる。
【００９９】
以上に説明したように、光路切換装置８０は、受光素子８３によって検出される光を生成する部品である直角プリズム８２が、光路切換装置８０外に出る光の経路の生成にも関与するので、従来より小型化することができる。また、光路切換装置８０は、受光素子８４によって検出される光を生成する部品である平行プリズム８１が、光路切換装置８０外に出る光の経路の生成にも関与するので、従来より小型化することができる。
【０１００】
（第５の実施の形態）
まず、第５の実施の形態に係る光通信システムの構成について説明する。
【０１０１】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【０１０２】
本実施の形態に係る光通信システムの構成は、図７に示す機械式の光路切換装置１００を光路切換装置２０（図３参照。）に代えて光通信システム１０が備えた構成と同様である。
【０１０３】
光路切換装置１００の構成は、光分岐装置１３（図１参照。）によって分岐された２つの回線の一方からの光信号が入力される光ファイバコリメータ１０１と、光分岐装置１３によって分岐された２つの回線の他方からの光信号が入力される光ファイバコリメータ１０２と、矢印２２ａ（図２参照。）で示す方向及び矢印２２ｂ（図２参照。）で示す方向における自身の位置の変化、即ち、自身の状態の変化によって光の経路を切り換える光軸シフト用ガラス１０３と、入射光の一部（以下、例として９５％として説明する。）を反射して残り５％を透過させるハーフミラー１０４とを、光ファイバコリメータ２３（図３参照。）、平行プリズム２６（図３参照。）、直角プリズム２８（図３参照。）及び平行プリズム２９（図３参照。）に代えて光路切換装置２０が備え、プラットフォーム２２に対する受光素子３１、３２及び光吸収体３３、３４の固定位置が変更された構成と同様である。
【０１０４】
光ファイバコリメータ１０１、１０２及びハーフミラー１０４は、プラットフォーム２２に固定されている。
【０１０５】
光軸シフト用ガラス１０３は、矢印２２ａで示す方向及び矢印２２ｂで示す方向にアクチュエータ２７（図２参照。）によって移動させられるようになっている。
【０１０６】
光ファイバコリメータ１０１は、光ファイバ１０１ａと、レンズ１０１ｂとから構成されている。同様に、光ファイバコリメータ１０２は、光ファイバ１０２ａ及びレンズ１０２ｂから構成されている。
【０１０７】
ハーフミラー１０４は、受光素子３１、３２によって検出される光を生成するようになっており、検出光生成部品を構成している。なお、光路切換装置１００外に出る光の経路は、ハーフミラー１０４が構成として存在する場合と存在しない場合とで異なる。即ち、ハーフミラー１０４は、光路切換装置１００外に出る光の経路を生成する部品である。
【０１０８】
受光素子３１、３２は、ハーフミラー１０４によって生成された光を他の光学部品を介さずに直接検出する位置に配置されている。
【０１０９】
次に、本実施の形態に係る光通信システムの動作について説明する。
【０１１０】
制御装置１４は、光ファイバコリメータ１０１に接続された回線に障害が生じていないと判断しているとき、光ファイバコリメータ１０１から出射された光の量を受光素子３１からの電気信号に基づいて算出する。そして、制御装置１４は、光ファイバコリメータ１０１から出射された光の量が所定の範囲内の量であるとき、光ファイバコリメータ１０１に接続された回線に障害が生じていないと判断し、光軸シフト用ガラス１０３が移動範囲のうち矢印２２ａ（図２参照。）で示す方向の端に待機するようにアクチュエータ２７（図２参照。）に制御信号を送信する。したがって、アクチュエータ２７は、制御装置１４からの制御信号に応じて光軸シフト用ガラス１０３を移動範囲のうち矢印２２ａで示す方向の端に待機させる。
【０１１１】
光軸シフト用ガラス１０３が移動範囲のうち矢印２２ａで示す方向の端に位置するとき、光路切換装置４０内の光は図７（ａ）に点線の矢線で示すように進行する。即ち、光ファイバコリメータ１０１から出力された光は、光軸シフト用ガラス１０３に対して矢印２２ｂで示す方向側を通過した後、９５％がハーフミラー１０４によって反射されて光ファイバコリメータ２５に入力されるとともに、残り５％がハーフミラー１０４を通過して受光素子３１によって検出される。光ファイバコリメータ１０２から出力された光は、光軸シフト用ガラス１０３に対して矢印２２ｂで示す方向側を通過した後、９５％がハーフミラー１０４によって反射されて光吸収体３４に吸収されるとともに、残り５％がハーフミラー１０４を通過して受光素子３２によって検出される。
【０１１２】
したがって、光ファイバコリメータ１０１に接続された回線に障害が生じていないと制御装置１４が判断したとき、光ファイバコリメータ１０１に接続された回線を通った光信号が光受信装置１２に受信される。
【０１１３】
一方、制御装置１４は、光ファイバコリメータ１０１から出射された光の量が所定の範囲内の量ではないとき、光ファイバコリメータ１０１に接続された回線に障害が生じていると判断し、光軸シフト用ガラス１０３が移動範囲のうち矢印２２ｂで示す方向の端に移動するようにアクチュエータ２７に制御信号を送信する。したがって、アクチュエータ２７は、制御装置１４からの制御信号に応じて光軸シフト用ガラス１０３を移動範囲のうち矢印２２ｂで示す方向の端に移動させる。
【０１１４】
光軸シフト用ガラス１０３が移動範囲のうち矢印２２ｂで示す方向の端に位置するとき、光路切換装置４０内の光は図７（ｂ）に点線の矢線で示すように進行する。
【０１１５】
即ち、光ファイバコリメータ１０１から出力された光は、光軸シフト用ガラス１０３によって進行経路が変更された後、９５％がハーフミラー１０４によって反射されるとともに、残り５％がハーフミラー１０４を通過して受光素子３１によって検出される。ハーフミラー１０４によって反射された光は、光軸シフト用ガラス１０３によって進行経路が変更された後、光吸収体３３に吸収される。
【０１１６】
光ファイバコリメータ１０２から出力された光は、光軸シフト用ガラス１０３によって進行経路が変更された後、９５％がハーフミラー１０４によって反射されるとともに、残り５％がハーフミラー１０４を通過して受光素子３２によって検出される。ハーフミラー１０４によって反射された光は、光軸シフト用ガラス１０３によって進行経路が変更された後、光ファイバコリメータ２５に入力される。
【０１１７】
したがって、光ファイバコリメータ１０１に接続された回線に障害が生じていると制御装置１４が判断したとき、光ファイバコリメータ１０２に接続された回線を通った光信号が光受信装置１２に受信される。
【０１１８】
なお、制御装置１４は、光ファイバコリメータ１０１に接続された回線に障害が生じていると判断しているとき、光受信装置１２に接続されている回線、即ち光ファイバコリメータ１０２に接続された回線に障害が生じているか否かについて受光素子３２からの電気信号に基づいて常時監視している。
【０１１９】
以上に説明したように、光路切換装置１００は、受光素子３１、３２によって検出される光を生成する部品であるハーフミラー１０４が、光路切換装置１００外に出る光の経路の生成にも関与するので、従来より小型化することができる。
【０１２０】
（第６の実施の形態）
まず、第６の実施の形態に係る光通信システムの構成について説明する。
【０１２１】
なお、本実施の形態に係る光通信システムの構成のうち、第５の実施の形態に係る光通信システムの構成と同様な構成については、第５の実施の形態に係る光通信システムの構成と同一の符号を付して詳細な説明を省略する。
【０１２２】
本実施の形態に係る光通信システムの構成は、図８に示す液晶式の光路切換装置１２０を光路切換装置１００（図７参照。）に代えて第５の実施の形態に係る光通信システムが備えた構成と同様である。
【０１２３】
光路切換装置１２０の構成は、電圧が加えられることによって光の偏光方向を変更する液晶偏光回転子１２１と、光を偏光させる偏光板１２２と、入射光の全部を反射する反射ミラー１２３と、偏光板１２２によって偏光された偏光方向の光を通して偏光板１２２によって偏光された偏光方向と直交する偏光方向の光を反射する偏光分離器１２４と、光を吸収する光吸収体１２５とを、アクチュエータ２７（図２参照。）、光吸収体３３、３４（図７参照。）、光軸シフト用ガラス１０３（図７参照。）及びハーフミラー１０４（図７参照。）に代えて光路切換装置１００が備え、プラットフォーム２２に対する光ファイバコリメータ２５、１０１、１０２及び受光素子３１、３２の固定位置が変更された構成と同様である。
【０１２４】
液晶偏光回転子１２１、偏光板１２２、反射ミラー１２３、偏光分離器１２４及び光吸収体１２５は、プラットフォーム２２に固定されている。
【０１２５】
液晶偏光回転子１２１は、ガラス板１２１ａと、ガラス板１２１ｂと、ガラス板１２１ａ及びガラス板１２１ｂの間に封入された液晶１２１ｃとを有している。なお、液晶偏光回転子１２１は、加えられる電圧に応じた自身の状態の変化によって光の経路を切り換えるようになっている。
【０１２６】
偏光板１２２は、入射光の一部（以下、例として５％として説明する。）を反射して残り９５％を透過させるハーフミラー１２２ａが膜によって形成されている。
【０１２７】
偏光板１２２は、受光素子３１、３２によって検出される光を生成するようになっており、検出光生成部品を構成している。なお、光路切換装置１２０外に出る光の経路は、偏光板１２２が構成として存在する場合と存在しない場合とで異なる。即ち、偏光板１２２は、光路切換装置１２０外に出る光の経路を生成する部品である。
【０１２８】
受光素子３１、３２は、偏光板１２２によって生成された光を他の光学部品を介さずに直接検出する位置に配置されている。
【０１２９】
次に、本実施の形態に係る光通信システムの動作について説明する。
【０１３０】
制御装置１４は、光ファイバコリメータ１０１に接続された回線に障害が生じていないと判断しているとき、光ファイバコリメータ１０１から出射された光の量を受光素子３１からの電気信号に基づいて算出する。そして、制御装置１４は、光ファイバコリメータ１０１から出射された光の量が所定の範囲内の量であるとき、光ファイバコリメータ１０１に接続された回線に障害が生じていないと判断し、液晶偏光回転子１２１に電圧を加えない。
【０１３１】
液晶偏光回転子１２１に電圧が加えられていないとき、光路切換装置１２０内の光は図８（ａ）に点線の矢線で示すように進行する。
【０１３２】
即ち、光ファイバコリメータ１０１から出力された光は、５％が偏光板１２２のハーフミラー１２２ａによって反射されて受光素子３１によって検出されるとともに、残り９５％がハーフミラー１２２ａを通過して偏光板１２２によって偏光される。偏光板１２２によって偏光された光は、電圧が加えられていない液晶偏光回転子１２１によって偏光方向が変更されず、偏光分離器１２４を通過して光ファイバコリメータ２５に入力される。
【０１３３】
光ファイバコリメータ１０２から出力された光は、５％が偏光板１２２のハーフミラー１２２ａによって反射されて受光素子３２によって検出されるとともに、残り９５％がハーフミラー１２２ａを通過して偏光板１２２によって偏光される。偏光板１２２によって偏光された光は、電圧が加えられていない液晶偏光回転子１２１によって偏光方向が変更されず、反射ミラー１２３によって反射された後、偏光分離器１２４を通過して光吸収体１２５に吸収される。
【０１３４】
したがって、光ファイバコリメータ１０１に接続された回線に障害が生じていないと制御装置１４が判断したとき、光ファイバコリメータ１０１に接続された回線を通った光信号が光受信装置１２に受信される。
【０１３５】
一方、制御装置１４は、光ファイバコリメータ１０１から出射された光の量が所定の範囲内の量ではないとき、光ファイバコリメータ１０１に接続された回線に障害が生じていると判断し、液晶偏光回転子１２１に電圧を加える。
【０１３６】
液晶偏光回転子１２１に電圧が加えられているとき、光路切換装置１２０内の光は図８（ｂ）に点線の矢線で示すように進行する。
【０１３７】
即ち、光ファイバコリメータ１０１から出力された光は、５％が偏光板１２２のハーフミラー１２２ａによって反射されて受光素子３１によって検出されるとともに、残り９５％がハーフミラー１２２ａを通過して偏光板１２２によって偏光される。偏光板１２２によって偏光された光は、電圧が加えられている液晶偏光回転子１２１によって偏光方向が直交する方向に変更され、偏光分離器１２４によって反射されて光吸収体１２５に吸収される。
【０１３８】
光ファイバコリメータ１０２から出力された光は、５％が偏光板１２２のハーフミラー１２２ａによって反射されて受光素子３２によって検出されるとともに、残り９５％がハーフミラー１２２ａを通過して偏光板１２２によって偏光される。偏光板１２２によって偏光された光は、電圧が加えられている液晶偏光回転子１２１によって偏光方向が直交する方向に変更され、反射ミラー１２３によって反射された後、偏光分離器１２４によって反射されて光ファイバコリメータ２５に入力される。
【０１３９】
したがって、光ファイバコリメータ１０１に接続された回線に障害が生じていると制御装置１４が判断したとき、光ファイバコリメータ１０２に接続された回線を通った光信号が光受信装置１２に受信される。
【０１４０】
なお、制御装置１４は、光ファイバコリメータ１０２に接続された回線に障害が生じているか否かについても受光素子３２からの電気信号に基づいて常時監視している。
【０１４１】
以上に説明したように、光路切換装置１２０は、受光素子３１、３２によって検出される光を生成する部品である偏光板１２２が、光路切換装置１２０外に出る光の経路の生成にも関与するので、従来より小型化することができる。
【０１４２】
なお、光路切換装置１２０は、偏光板１２２ではなく液晶偏光回転子１２１のガラス板１２１ａによって入射光の一部を反射するようにし、ガラス板１２１ａによって反射された光を受光素子３１、３２によって検出するようにしても良い。
【０１４３】
（第７の実施の形態）
まず、第７の実施の形態に係る光通信システムの構成について説明する。
【０１４４】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【０１４５】
本実施の形態に係る光通信システムの構成は、図９に示すＭＥＭＳ（Ｍｉｃｒｏ  Ｅｌｅｃｔｒｏ  Ｍｅｃｈａｎｉｃａｌ  Ｓｙｓｔｅｍｓ）の光路切換装置１４０を光路切換装置２０（図３参照。）に代えて光通信システム１０が備えた構成と同様である。
【０１４６】
光路切換装置１４０は、筐体１４１と、筐体１４１内に収納されて各種光学部品を搭載するプラットフォーム１４２と、光分岐装置１３（図１参照。）によって分岐された２つの回線の一方からの光信号が入力される光ファイバ１４３と、光分岐装置１３によって分岐された２つの回線の他方からの光信号が入力される光ファイバ１４４と、光受信装置１２（図１参照。）に受信される光信号が出力される光ファイバ１４５と、入射光の一部（以下、例として９５％として説明する。）を反射して残り５％を通過させる可動式ハーフミラー１４６と、光を検出する光検出部品としての受光素子１４７、１４８、１４９とを備えている。
【０１４７】
プラットフォーム１４２には、光ファイバ１４３〜１４５と、受光素子１４７、１４８、１４９とが固定されている。
【０１４８】
可動式ハーフミラー１４６は、制御装置１４（図１参照。）からの制御信号に応じて、中央部に位置する軸１４６ａを中心に回動するようになっており、軸１４６ａを中心とした自身の回動、即ち、自身の状態の変化によって光の経路を切り換えるようになっている。
【０１４９】
可動式ハーフミラー１４６は、受光素子１４７〜１４９によって検出される光を生成するようになっており、検出光生成部品を構成している。なお、光路切換装置１４０外に出る光の経路は、可動式ハーフミラー１４６が構成として存在する場合と存在しない場合とで異なる。即ち、可動式ハーフミラー１４６は、光路切換装置１４０外に出る光の経路を生成する部品である。
【０１５０】
受光素子１４７〜１４９は、可動式ハーフミラー１４６によって生成された光を他の光学部品を介さずに直接検出する位置に配置されている。
【０１５１】
次に、本実施の形態に係る光通信システムの動作について説明する。
【０１５２】
制御装置１４は、光ファイバ１４３に接続された回線に障害が生じていないと判断しているとき、光ファイバ１４３から出射された光の量を受光素子１４７及び受光素子１４９からの電気信号に基づいて算出する。ここで、可動式ハーフミラー１４６の反射率、受光素子１４７の受光量、受光素子１４９の受光量、光ファイバ１４３から出射された光の量をそれぞれＲ、ｐ１、ｐ２、Ｐとすると、Ｐは、「数２」によって算出可能である。
【数２】
2006251044.tif 000004
【０１５３】
そして、制御装置１４は、光ファイバ１４３から出射された光の量が所定の範囲内の量であると、光ファイバ１４３に接続された回線に障害が生じていないと判断し、可動式ハーフミラー１４６が図９（ａ）に示す位置に待機するように可動式ハーフミラー１４６に制御信号を送信する。したがって、可動式ハーフミラー１４６は、制御装置１４からの制御信号に応じて図９（ａ）に示す位置に待機する。
【０１５４】
可動式ハーフミラー１４６が図９（ａ）に示す位置であるとき、光路切換装置１４０内の光は図９（ａ）に点線の矢線で示すように進行する。即ち、光ファイバ１４３から出力された光は、９５％が可動式ハーフミラー１４６によって反射されて光ファイバ１４５に入力されるとともに、残り５％が可動式ハーフミラー１４６を通過して受光素子１４７によって検出される。光ファイバ１４４から出力された光は、９５％が可動式ハーフミラー１４６によって反射されて受光素子１４９によって検出されるとともに、残り５％が可動式ハーフミラー１４６を通過して受光素子１４７によって検出される。
【０１５５】
したがって、光ファイバ１４３に接続された回線に障害が生じていないと制御装置１４が判断したとき、光ファイバ１４３に接続された回線を通った光信号が光受信装置１２に受信される。
【０１５６】
なお、制御装置１４は、光ファイバ１４３に接続された回線に障害が生じていないと判断しているとき、光受信装置１２に接続されていない回線、即ち光ファイバ１４４に接続された回線に障害が生じているか否かについても受光素子１４９からの電気信号に基づいて常時監視している。
【０１５７】
一方、制御装置１４は、光ファイバ１４３から出射された光の量が所定の範囲内の量ではないとき、光ファイバ１４３に接続された回線に障害が生じていると判断し、可動式ハーフミラー１４６が図９（ｂ）に示す位置になるように可動式ハーフミラー１４６に制御信号を送信する。したがって、可動式ハーフミラー１４６は、制御装置１４からの制御信号に応じて図９（ｂ）に示す位置になる。
【０１５８】
可動式ハーフミラー１４６が図９（ｂ）に示す位置であるとき、光路切換装置１４０内の光は図９（ｂ）に点線の矢線で示すように進行する。即ち、光ファイバ１４３から出力された光は、９５％が可動式ハーフミラー１４６で反射して受光素子１４８によって検出されるとともに、残り５％が可動式ハーフミラー１４６を通過して受光素子１４７によって検出される。一方、光ファイバ１４４から出力された光は、９５％が可動式ハーフミラー１４６によって反射されて光ファイバ１４５に入力されるとともに、残り５％が可動式ハーフミラー１４６を通過して受光素子１４７によって検出される。
【０１５９】
したがって、光ファイバ１４３に接続された回線に障害が生じていると制御装置１４が判断したとき、光ファイバ１４４に接続された回線を通った光信号が光受信装置１２に受信される。
【０１６０】
なお、制御装置１４は、光ファイバ１４３に接続された回線に障害が生じていると判断しているとき、光受信装置１２に接続されている回線、即ち光ファイバ１４４に接続された回線に障害が生じているか否かについて受光素子１４７からの電気信号及び受光素子１４８からの電気信号に基づいて常時監視している。また、制御装置１４は、光ファイバ１４３に接続された回線に障害が生じていると判断しているとき、光受信装置１２に接続されていない回線、即ち光ファイバ１４３に接続された回線に障害が生じているか否かについても受光素子１４８からの電気信号に基づいて常時監視している。
【０１６１】
以上に説明したように、光路切換装置１４０は、受光素子１４７〜１４９によって検出される光を生成する部品である可動式ハーフミラー１４６が、光路切換装置１４０外に出る光の経路の生成にも関与するので、従来より小型化することができる。
【０１６２】
また、光路切換装置１４０は、光ファイバ１４３〜１４５や可動式ハーフミラー１４６等の各光学部品の基準面となる部材、即ち、光学定盤として機能するプラットフォーム１４２を備えているので、各光学部品の位置決め精度をサブミクロンレベルで実現することが可能であるとともに、周囲の温度や湿度が変化したときであっても各光学部品の位置関係を維持することができる。
【０１６３】
（第８の実施の形態）
まず、第８の実施の形態に係る光通信システムの構成について説明する。
【０１６４】
なお、本実施の形態に係る光通信システムの構成のうち、第７の実施の形態に係る光通信システムの構成と同様な構成については、第７の実施の形態に係る光通信システムの構成と同一の符号を付して詳細な説明を省略する。
【０１６５】
本実施の形態に係る光通信システムの構成は、図１１に示すＭＥＭＳの光路切換装置１６０を光路切換装置１４０（図９参照。）に代えて第７の実施の形態に係る光通信システムが備えた構成と同様である。
【０１６６】
光路切換装置１６０の構成は、光を検出する光検出部品としての受光素子１６１、１６２と、光を吸収する光吸収体１６３、１６４とを受光素子１４７〜１４９（図９参照。）に代えて光路切換装置１４０が備えた構成と同様である。
【０１６７】
受光素子１６１、１６２及び光吸収体１６３、１６４は、プラットフォーム１４２に固定されている。
【０１６８】
可動式ハーフミラー１４６は、受光素子１６１、１６２によって検出される光を生成するようになっており、検出光生成部品を構成している。なお、光路切換装置１６０外に出る光の経路は、可動式ハーフミラー１４６が構成として存在する場合と存在しない場合とで異なる。即ち、可動式ハーフミラー１４６は、光路切換装置１６０外に出る光の経路を生成する部品である。
【０１６９】
受光素子１６１、１６２は、可動式ハーフミラー１４６によって生成された光を他の光学部品を介さずに直接検出する位置に配置されている。
【０１７０】
次に、本実施の形態に係る光通信システムの動作について説明する。
【０１７１】
制御装置１４は、光ファイバ１４３に接続された回線に障害が生じていないと判断しているとき、光ファイバ１４３から出射された光の量を受光素子１６１からの電気信号に基づいて算出する。そして、制御装置１４は、光ファイバ１４３から出射された光の量が所定の範囲内の量であると、光ファイバ１４３に接続された回線に障害が生じていないと判断し、可動式ハーフミラー１４６が図１１（ａ）に示す位置に待機するように可動式ハーフミラー１４６に制御信号を送信する。したがって、可動式ハーフミラー１４６は、制御装置１４からの制御信号に応じて図１１（ａ）に示す位置に待機する。
【０１７２】
可動式ハーフミラー１４６が図１１（ａ）に示す位置であるとき、光路切換装置１６０内の光は図１１（ａ）に点線の矢線で示すように進行する。即ち、光ファイバ１４３から出力された光は、一部（以下、例として９５％として説明する。）が可動式ハーフミラー１４６によって反射されて光ファイバ１４５に入力されるとともに、残り５％が可動式ハーフミラー１４６を通過して受光素子１６１によって検出される。光ファイバ１４４から出力された光は、９５％が可動式ハーフミラー１４６によって反射されて光吸収体１６４に吸収されるとともに、残り５％が可動式ハーフミラー１４６を通過して受光素子１６２によって検出される。
【０１７３】
したがって、光ファイバ１４３に接続された回線に障害が生じていないと制御装置１４が判断したとき、光ファイバ１４３に接続された回線を通った光信号が光受信装置１２に受信される。
【０１７４】
一方、制御装置１４は、光ファイバ１４３から出射された光の量が所定の範囲内の量ではないとき、光ファイバ１４３に接続された回線に障害が生じていると判断し、可動式ハーフミラー１４６が図１１（ｂ）に示す位置になるように可動式ハーフミラー１４６に制御信号を送信する。したがって、可動式ハーフミラー１４６は、制御装置１４からの制御信号に応じて図１１（ｂ）に示す位置になる。
【０１７５】
可動式ハーフミラー１４６が図１１（ｂ）に示す位置であるとき、光路切換装置１６０内の光は図１１（ｂ）に点線の矢線で示すように進行する。即ち、光ファイバ１４３から出力された光は、９５％が可動式ハーフミラー１４６で反射して光吸収体１６３に吸収されるとともに、残り５％が可動式ハーフミラー１４６を通過して受光素子１６１によって検出される。一方、光ファイバ１４４から出力された光は、９５％が可動式ハーフミラー１４６によって反射されて光ファイバ１４５に入力されるとともに、残り５％が可動式ハーフミラー１４６を通過して受光素子１６２によって検出される。
【０１７６】
したがって、光ファイバ１４３に接続された回線に障害が生じていると制御装置１４が判断したとき、光ファイバ１４４に接続された回線を通った光信号が光受信装置１２に受信される。
【０１７７】
なお、制御装置１４は、受光素子１６２からの電気信号に基づいて、光ファイバ１４４に接続された回線に障害が生じているか否かについても常時監視している。
【０１７８】
以上に説明したように、光路切換装置１６０は、受光素子１６１、１６２によって検出される光を生成する部品である可動式ハーフミラー１４６が、光路切換装置１６０外に出る光の経路の生成にも関与するので、従来より小型化することができる。
【０１７９】
（第９の実施の形態）
まず、第９の実施の形態に係る光通信システムの構成について説明する。
【０１８０】
なお、本実施の形態に係る光通信システムの構成のうち、第８の実施の形態に係る光通信システムの構成と同様な構成については、第８の実施の形態に係る光通信システムの構成と同一の符号を付して詳細な説明を省略する。
【０１８１】
本実施の形態に係る光通信システムの構成は、図１２に示すＭＥＭＳの光路切換装置１８０を光路切換装置１６０（図１１参照。）に代えて第８の実施の形態に係る光通信システムが備えた構成と同様である。
【０１８２】
光路切換装置１８０の構成は、入射光の一部（以下、例として９５％として説明する。）を反射して残り５％を通過させる可動式ハーフミラー１８１を可動式ハーフミラー１４６（図１１参照。）に代えて光路切換装置１６０が備え、プラットフォーム１４２に対する光ファイバ１４３〜１４５、受光素子１６１、１６２及び光吸収体１６３、１６４の固定位置が変更された構成と同様である。
【０１８３】
可動式ハーフミラー１８１は、制御装置１４（図１参照。）からの制御信号に応じて、図１２（ａ）に示す位置及び図１２（ｂ）に示す位置の間を直線移動するようになっており、自身の直線移動、即ち、自身の状態の変化によって光の経路を切り換えるようになっている。
【０１８４】
可動式ハーフミラー１８１は、受光素子１６１、１６２によって検出される光を生成するようになっており、検出光生成部品を構成している。なお、光路切換装置１８０外に出る光の経路は、可動式ハーフミラー１８１が構成として存在する場合と存在しない場合とで異なる。即ち、可動式ハーフミラー１８１は、光路切換装置１８０外に出る光の経路を生成する部品である。
【０１８５】
受光素子１６１、１６２は、可動式ハーフミラー１８１によって生成された光を他の光学部品を介さずに直接検出する位置に配置されている。
【０１８６】
次に、本実施の形態に係る光通信システムの動作について説明する。
【０１８７】
制御装置１４は、光ファイバ１４３に接続された回線に障害が生じていないと判断しているとき、光ファイバ１４３から出射された光の量を受光素子１６１からの電気信号に基づいて算出する。そして、制御装置１４は、光ファイバ１４３から出射された光の量が所定の範囲内の量であると、光ファイバ１４３に接続された回線に障害が生じていないと判断し、可動式ハーフミラー１８１が図１２（ａ）に示す位置に待機するように可動式ハーフミラー１８１に制御信号を送信する。したがって、可動式ハーフミラー１８１は、制御装置１４からの制御信号に応じて図１２（ａ）に示す位置に待機する。
【０１８８】
可動式ハーフミラー１８１が図１２（ａ）に示す位置であるとき、光路切換装置１８０内の光は図１２（ａ）に点線の矢線で示すように進行する。即ち、光ファイバ１４３から出力された光は、９５％が可動式ハーフミラー１８１によって反射されて光ファイバ１４５に入力されるとともに、残り５％が可動式ハーフミラー１８１を通過して受光素子１６１によって検出される。光ファイバ１４４から出力された光は、９５％が可動式ハーフミラー１８１によって反射されて光吸収体１６４に吸収されるとともに、残り５％が可動式ハーフミラー１８１を通過して受光素子１６２によって検出される。
【０１８９】
したがって、光ファイバ１４３に接続された回線に障害が生じていないと制御装置１４が判断したとき、光ファイバ１４３に接続された回線を通った光信号が光受信装置１２に受信される。
【０１９０】
一方、制御装置１４は、光ファイバ１４３から出射された光の量が所定の範囲内の量ではないとき、光ファイバ１４３に接続された回線に障害が生じていると判断し、可動式ハーフミラー１８１が図１２（ｂ）に示す位置になるように可動式ハーフミラー１８１に制御信号を送信する。したがって、可動式ハーフミラー１８１は、制御装置１４からの制御信号に応じて図１２（ｂ）に示す位置になる。
【０１９１】
可動式ハーフミラー１８１が図１２（ｂ）に示す位置であるとき、光路切換装置１８０内の光は図１２（ｂ）に点線の矢線で示すように進行する。即ち、光ファイバ１４３から出力された光は、９５％が可動式ハーフミラー１８１で反射して光吸収体１６３に吸収されるとともに、残り５％が可動式ハーフミラー１８１を通過して受光素子１６１によって検出される。一方、光ファイバ１４４から出力された光は、９５％が可動式ハーフミラー１８１によって反射されて光ファイバ１４５に入力されるとともに、残り５％が可動式ハーフミラー１８１を通過して受光素子１６２によって検出される。
【０１９２】
したがって、光ファイバ１４３に接続された回線に障害が生じていると制御装置１４が判断したとき、光ファイバ１４４に接続された回線を通った光信号が光受信装置１２に受信される。
【０１９３】
なお、制御装置１４は、受光素子１６２からの電気信号に基づいて、光ファイバ１４４に接続された回線に障害が生じているか否かについても常時監視している。
【０１９４】
以上に説明したように、光路切換装置１８０は、受光素子１６１、１６２によって検出される光を生成する部品である可動式ハーフミラー１８１が、光路切換装置１８０外に出る光の経路の生成にも関与するので、従来より小型化することができる。
【産業上の利用可能性】
【０１９５】
以上のように、本発明に係る光路切換装置は、従来より小型化することができるという効果を有し、光通信システム用の光路切換装置等として有用である。
【図面の簡単な説明】
【０１９６】
【図１】本発明の第１の実施の形態に係る光通信システムのブロック図
【図２】図１に示す光通信システムの光路切換装置の側面断面図
【図３】（ａ）図２に示す光路切換装置の上面断面図  （ｂ）図３（ａ）に示す状態とは異なる状態での図２に示す光路切換装置の上面断面図
【図４】（ａ）本発明の第２の実施の形態に係る光通信システムの光路切換装置の上面断面図  （ｂ）図４（ａ）に示す状態とは異なる状態での図４（ａ）に示す光路切換装置の上面断面図
【図５】（ａ）本発明の第３の実施の形態に係る光通信システムの光路切換装置の上面断面図  （ｂ）図５（ａ）に示す状態とは異なる状態での図５（ａ）に示す光路切換装置の上面断面図
【図６】（ａ）本発明の第４の実施の形態に係る光通信システムの光路切換装置の上面断面図  （ｂ）図６（ａ）に示す状態とは異なる状態での図６（ａ）に示す光路切換装置の上面断面図
【図７】（ａ）本発明の第５の実施の形態に係る光通信システムの光路切換装置の上面断面図  （ｂ）図７（ａ）に示す状態とは異なる状態での図７（ａ）に示す光路切換装置の上面断面図
【図８】（ａ）本発明の第６の実施の形態に係る光通信システムの光路切換装置の上面断面図  （ｂ）図８（ａ）に示す状態とは異なる状態での図８（ａ）に示す光路切換装置の上面断面図
【図９】（ａ）本発明の第７の実施の形態に係る光通信システムの光路切換装置の上面断面図  （ｂ）図９（ａ）に示す状態とは異なる状態での図９（ａ）に示す光路切換装置の上面断面図
【図１０】図９に示す光路切換装置の側面断面図
【図１１】（ａ）本発明の第８の実施の形態に係る光通信システムの光路切換装置の上面断面図  （ｂ）図１１（ａ）に示す状態とは異なる状態での図１１（ａ）に示す光路切換装置の上面断面図
【図１２】（ａ）本発明の第９の実施の形態に係る光通信システムの光路切換装置の上面断面図  （ｂ）図１２（ａ）に示す状態とは異なる状態での図１２（ａ）に示す光路切換装置の上面断面図
【符号の説明】
【０１９７】
２０  光路切換装置
２６  平行プリズム（検出光生成部品）
２９  平行プリズム（検出光生成部品）
３１、３２  受光素子（光検出部品）
４０  光路切換装置
４３  直角プリズム（検出光生成部品）
４４〜４６  受光素子（光検出部品）
６０  光路切換装置
６３  光ファイバコリメータ（検出光生成部品）
６４  受光素子（光検出部品）
８０  光路切換装置
８１  平行プリズム（検出光生成部品）
８２  直角プリズム（検出光生成部品）
８３、８４  受光素子（光検出部品）
１００  光路切換装置
１０４  ハーフミラー（検出光生成部品）
１２０  光路切換装置
１２２  偏光板（検出光生成部品）
１４０  光路切換装置
１４６  可動式ハーフミラー（検出光生成部品）
１４７〜１４９  受光素子（光検出部品）
１６０  光路切換装置
１６１、１６２  受光素子（光検出部品）
１８０  光路切換装置
１８１  可動式ハーフミラー（検出光生成部品）
【図１】
2006251044.tif 000005
【図２】
2006251044.tif 000006
【図３】
2006251044.tif 000007
【図４】
2006251044.tif 000008
【図５】
2006251044.tif 000009
【図６】
2006251044.tif 000010
【図７】
2006251044.tif 000011
【図８】
2006251044.tif 000012
【図９】
2006251044.tif 000013
【図１０】
2006251044.tif 000014
【図１１】
2006251044.tif 000015
【図１２】
2006251044.tif 000016